(57)【要約】【課題】従来よりも手間がかからずに取り付けることができる建物扉用把手及びこれを用いた建物扉用錠前を提供しようとするもの。【解決手段】ドア１の開閉時に操作する把手体３を有しており対向させてドア面に固定する基体部２と、前記把手体３への操作を錠機構へと伝達する出力軸４とを具備し、前記対向する基体部２は取り付け柱９により相互にドア面に固定されるようにしていると共に錠機構を内蔵するケーシング６に対する位置決め軸１０を有する。この建物扉用把手は、把手体への操作を錠機構へと伝達する出力軸を具備し、基体部は取り付け柱によりドア面に固定されるようにしていると共に錠機構を内蔵するケーシングに対する位置決め軸を有するので、ドア面に取り付ける際のドア加工はドリルなどで円形穴や円形孔等を穿設するだけであり、従来のように建物扉用把手に対応する形状にくり抜く必要はない。【選択図】        図１
2004300753.tif 000002
【特許請求の範囲】
【請求項１】
ドアの開閉時に操作する把手体を有しており対向させてドア面に固定する基体部と、前記把手体への操作を錠機構へと伝達する出力軸とを具備し、前記対向する基体部は取り付け柱により相互にドア面に固定されるようにしていると共に錠機構を内蔵するケーシングに対する位置決め軸を有することを特徴とする建物扉用把手。
【請求項２】
前記把手体は略半球状とされた請求項１記載の建物扉用把手。
【請求項３】
前記建物扉用把手と錠機構を内蔵するケーシングとから成る建物扉用錠前。
【発明の詳細な説明】
【０００１】
【発明の属する技術分野】
この発明は、建物扉用把手及びこれを用いた建物扉用錠前に関するものである。
【０００２】
【従来の技術】
従来より、把手を押したり引いたりするだけでドアを開くことができるプッシュプル型の建物扉用錠前が知られている。
【０００３】
図９乃至図１１に示すように、この建物扉用錠前は、把手２１  （レバー）を押したり引いたりすることによりラッチ２２がケーシング２３（錠機能が内蔵されている）内に没入し得る状態に開錠され、ドア２４が開くものである（例えば、特許文献１参照）。前記ラッチ２２とは、風圧などでドア２４があおられないようにする仮締まりのための仮錠である。また、把手（ノブやレバー）を回動することによりラッチがケーシング内に没入し得る状態となって開錠されドアが開く、レバーハンドル型の扉用ラッチ錠が知られている。
【０００４】
そして、これらの建物扉用錠前を取り付ける際には、ドア２４の取り付け箇所を表裏２方向から建物扉用把手２１に対応する形状に掘り込んで（図１１参照）、この領域２５に前記把手２１を埋設・設置するようにしている。
【０００５】
しかし、前記ケーシング２３の埋設領域２５の掘り込み作業には手間がかかりドア加工が厄介であるという問題があった。
【０００６】
【特許文献１】
意匠登録第９８３３４３号公報
【０００７】
【発明が解決しようとする課題】
そこでこの発明は、従来よりも手間がかからずに取り付けることができる建物扉用把手及びこれを用いた建物扉用錠前を提供しようとするものである。
【０００８】
【課題を解決するための手段】
前記課題を解決するためこの発明では次のような技術的手段を講じている。
▲１▼  この発明の建物扉用把手は、ドアの開閉時に操作する把手体を有しており対向させてドア面に固定する基体部と、前記把手体への操作を錠機構へと伝達する出力軸とを具備し、前記対向する基体部は取り付け柱により相互にドア面に固定されるようにしていると共に錠機構を内蔵するケーシングに対する位置決め軸を有することを特徴とする。
【０００９】
この建物扉用把手は、把手体への操作を錠機構へと伝達する出力軸を具備し、基体部は取り付け柱によりドア面に固定されるようにしていると共に錠機構を内蔵するケーシングに対する位置決め軸を有するので、ドア面に取り付ける際のドア加工はドリルなどで円形穴や円形孔等を穿設するだけであり、従来のように建物扉用把手に対応する形状にくり抜く必要はない。
【００１０】
前記取り付け柱として、例えば雄ネジ軸と雌ネジ軸の組み合わせ等を用いることができる。
【００１１】
この錠機構の具体的な態様として、例えば、把手（レバー）を押したり引いたりする操作をすることによりラッチがケーシング内に没入し得る状態に開錠されてドアが開くプッシュプル型の扉用ラッチ錠とすることができる。
【００１２】
また、把手（ノブやレバー）を回動操作することにより錠機構のラッチがケーシング内に没入し得る状態となって開錠されドアが開くレバーハンドル型の扉用ラッチ錠とすることもできる。
【００１３】
▲２▼  前記把手体は、略半球状とされたこととしてもよい。
このように構成すると、把手体は略半球状であり不要な引っ掛かりが少ないので、ぶつかったり引っ掛かったりする不測の事故等を好適に抑制することができる。
【００１４】
▲３▼  この建物扉用錠前は、前記建物扉用把手と錠機構を内蔵するケーシングとから成る。この建物扉用錠前は、建物扉用把手に対応する形状をくり抜く必要はなく、従来よりも手間がかからずに取り付けることができる。
【００１５】
【発明の実施の形態】
以下、この発明の実施の形態を図面を参照して説明する。
【００１６】
図１乃至図８に示すように、この実施形態の建物扉用把手は、対向させてドア１面に固定する一対の基体部２  （ドア１の開閉時に操作する表裏の略半球状の把手体３を有している）と、前記把手体３への操作を錠機構へと伝達する一対の出力軸４とを具備する。
【００１７】
前記錠機構は、表裏の略半球状の把手体３を押したり引いたりする操作をすることにより、断面三角状の角度が付いているラッチ５がケーシング６内に没入し得る状態に開錠されてドア１が開くプッシュプル型としている（図６乃至図８参照）。前記ケーシング６には、一対の出力軸４から伝達された運動を錠機構を通じてラッチ５へと中継する一対の受力部７  （図４参照）を有する。また前記把手体３として、扉のプル側のレバー３ａとプッシュ側のレバー３ｂを設けている。
【００１８】
前記ラッチ５（ボルト）は締まりを行う部分（空錠）であり、スプリング（図示せず）によって通常はケーシング６から飛び出しており、ノブやレバーの操作により後退して凹み得る状態となる。
【００１９】
ドア１内にはその側端面から内方に向け延在するケーシング６が装着され、ラッチ５は前記ケーシング６の内部に反転かつ進退可能に設けられている。前記ケーシング６内には、ラッチ５を前進位置（ケーシング６のフロント板８から突出する位置）にロックするロック部材（図示せず）や、前記ロック部材を動作させるスライド部材（図示せず）等の錠機構（扉のプル側及びプッシュ側の錠機構であり、前記一対の出力軸４に対応している）などが内蔵されている。
【００２０】
そして、前記対向する一対の基体部２は取り付け柱９により相互にドア１面に固定されるようにしていると共に、錠機構を内蔵するケーシング６に対する各２本の位置決め軸１０を有することとしている。ケーシング６には対応する位置決め孔１０ｈが形成されている。前記取り付け柱９として、雄ネジ軸１１（その挿通孔を一方側の基体部２に貫通形成している）と雌ネジ軸１２（他方側の基体部２から突設されている）の組み合わせを用いた。
【００２１】
前記のような建物扉用把手と錠機構を内蔵するケーシング６とから、建物扉用錠前が形成される。
【００２２】
次に、この実施形態の建物扉用把手の使用状態を説明する。
【００２３】
この建物扉用把手は、表裏の把手体３への操作を錠機構へとそれぞれ伝達する出力軸４を具備し、基体部２は（全体又はその一部をドア１内に埋設することなく）取り付け柱９によりドア１面に固定されるようにしていると共に錠機構を内蔵するケーシング６に対する位置決め軸１０を有するので、ドア１面に取り付ける際のドア１加工はドリルなどで円形穴１３や円形孔１４等を穿設するだけであり（図５参照）、建物扉用把手に対応する形状にくり抜く必要はなく、従来よりも手間がかからずに取り付けることができるという利点がある。
【００２４】
また前記把手体３は略半球状としており不要な引っ掛かりが少ないので、ぶつかったり紐などが引っ掛かったりする不測の事故等を好適に抑制することができ、精神的に不安定な人が入院される病院その他でも安全に使用することができるという利点がある。
【００２５】
なお、把手（ノブやレバー）を回動操作することにより錠機構のラッチ５がケーシング６内に没入し得る状態となって開錠されドア１が開く、レバーハンドル型の扉用ラッチ５錠とすることもできる（図示せず）。
【００２６】
【発明の効果】
この発明は上述のような構成であり、次の効果を有する。
【００２７】
建物扉用把手に対応する形状にくり抜く必要はないので、従来よりも手間がかからずに取り付けることができる建物扉用把手及びこれを用いた建物扉用錠前を提供することができる。
【図面の簡単な説明】
【図１】この発明の建物扉用錠前の実施形態を説明する斜視図。
【図２】図１の建物扉用錠前をドアの側端面側から見た状態を説明する図。
【図３】図１の建物扉用錠前の要部矢視図。
【図４】図１の建物扉用錠前のケーシングを説明する正面図。
【図５】図１の建物扉用錠前をドア面に取り付けるための円形穴や円形孔を説明する図。
【図６】図１の建物扉用錠前のラッチがケーシング内に没入する前の状態を説明する図。
【図７】図１の建物扉用錠前のラッチがケーシング内に没入していく状態を説明する図。
【図８】図１の建物扉用錠前のラッチがケーシング内に更に没入した状態を説明する図。
【図９】従来の建物扉用錠前を説明する斜視図。
【図１０】図９の建物扉用錠前を説明する要部矢視図。
【図１１】図９の建物扉用錠前をドア面に取り付けるために掘り込む領域を説明する図。
【符号の説明】
１  ドア
２  基体部
３  把手体
４  出力軸
６  ケーシング
９  取り付け柱
１０  位置決め軸
【図１】
2004300753.tif 000003
【図２】
2004300753.tif 000004
【図３】
2004300753.tif 000005
【図４】
2004300753.tif 000006
【図５】
2004300753.tif 000007
【図６】
2004300753.tif 000008
【図７】
2004300753.tif 000009
【図８】
2004300753.tif 000010
【図９】
2004300753.tif 000011
【図１０】
2004300753.tif 000012
【図１１】
2004300753.tif 000013